(57)【要約】【課題】  異なるファイルシステムが混在した記憶媒体を有効利用し、撮像した静止画、動画像を記録する。【解決手段】  デジタルカメラのシステム制御部は、装着されたメモリカードにＦＡＴ３２、ｅｘＦＡＴの２種類のファイルシステムの記憶領域が存在すると判定した場合（Ｓ２０７）、ＦＡＴ３２ファイルシステムの記憶領域は静止画用記憶領域として決定し、ｅｘＦＡＴファイルシステムの記憶領域は動画用記憶領域として決定する（Ｓ２０８）。そして、撮影モードに応じた記憶領域に、撮像して得られた静止画像データ、動画像データをそれぞれ記憶する。【選択図】  図２
2011034236.tif 000002
【特許請求の範囲】
【請求項１】
着脱自在な記憶媒体に、撮像手段により撮像して得られた画像を記録する撮像装置であって、
前記記憶媒体に確保されている記憶領域のファイルシステムの種類を検出する検出手段と、
該検出手段が、前記記憶媒体に少なくとも２種類のアクセス可能なファイルシステムを検出した場合、仕様上の生成可能なファイルの最大サイズが大きい方のファイルシステムの記憶領域を動画用記憶領域として設定し、他方を静止画用記憶領域として設定する設定手段と、
動画像撮影モード、静止画撮影モードのいずれかを選択する選択手段と、
該選択手段で選択した撮影モードが動画像撮影モードの場合には、撮像して得られた動画像データを前記動画用記憶領域に記録し、前記選択手段で選択した撮影モードが静止画撮影モードの場合には、撮像して得られた静止画像データを前記静止画用記憶領域に記録する記録手段と
を備えることを特徴とする撮像装置。
【請求項２】
前記設定手段は、前記検出手段により前記記憶媒体の中にｅｘＦＡＴ、ＦＡＴ３２の２種類のファイルシステムが存在すると判定した場合、ｅｘＦＡＴの記憶領域を前記動画用記憶領域、ＦＡＴ３２の記憶領域を静止画用記憶領域として設定することを特徴とする請求項１に記載の撮像装置。
【請求項３】
更に、前記記録手段で動画像データを前記動画用記憶領域に記録した場合、当該動画像データを特定し且つ当該動画像データが記録されていることを示す補助情報を、前記静止画用記憶領域に記録する補助情報記録手段と、
該補助情報記録手段により前記静止画用記憶領域に記録された補助情報に、予め決められた変更がなされているか否かを判定する判定手段と、
該判定手段が、前記補助情報記録手段で記録した補助情報に前記予め決められた変更がなされていると判定した場合、当該情報が示す動画像データを、前記動画用記憶領域から、前記静止画用記憶領域に移動させる移動手段と
を備えることを特徴とする請求項１又は２に記載の撮像装置。
【請求項４】
更に、前記記憶媒体に対して初期化を指示する指示手段と、
該指示手段で初期化が指示された場合、前記記憶媒体の総容量と、アクセス可能なファイルシステムそれぞれの仕様上の生成可能な最大ファイルサイズの中で最小のファイルサイズとを比較する比較手段と、
該比較手段の比較結果が、前記総容量が前記最小のファイルサイズ以下であることを示す場合、前記記憶媒体の全体の記憶領域を、前記最小ファイルサイズとなるファイルシステムでフォーマットし、
該比較手段の比較結果が、前記総容量が前記最小のファイルサイズを超えることを示す場合、前記記録媒体を、前記動画用記憶領域と前記静止画用記憶領域とに分割するため、それぞれの容量をユーザの指示に応じて決定し、決定された容量に従ってパーティション処理及びフォーマットするフォーマット手段とを備える
ことを特徴とする請求項１乃至３のいずれか１項に記載の撮像装置。
【請求項５】
着脱自在な記憶媒体に、撮像手段により撮像して得られた画像を記録する撮像装置の制御方法であって、
前記記憶媒体に確保されている記憶領域のファイルシステムの種類を検出する検出工程と、
該検出工程で、前記記憶媒体に少なくとも２種類のアクセス可能なファイルシステムを検出した場合、仕様上の生成可能なファイルの最大サイズが大きい方のファイルシステムの記憶領域を動画用記憶領域として設定し、他方を静止画用記憶領域として設定する設定工程と、
動画像撮影モード、静止画撮影モードのいずれかを選択する選択工程と、
該選択工程で選択した撮影モードが動画像撮影モードの場合には、撮像して得られた動画像データを前記動画用記憶領域に記録し、前記選択工程で選択した撮影モードが静止画撮影モードの場合には、撮像して得られた静止画像データを前記静止画用記憶領域に記録する記録工程と
を備えることを特徴とする撮像装置の制御方法。
【発明の詳細な説明】
【技術分野】
【０００１】
本発明は、撮像装置及びその制御方法に関するものである。
【背景技術】
【０００２】
デジタルカメラやデジタルビデオカメラなどの撮影装置は、撮像した静止画、動画データをＳＤカードなどのリムーバブルメディアへの記録する処理を行う。この際、そのリムーバブルメディアには、予めファイルシステムが構築されていて、静止画、動画データは、そのファイルシステム上にファイルとして記憶されることになる。ファイルシステムとして代表的なものとしてＦＡＴ（File Allocation Table）が挙げられる。
【０００３】
一方、１つのリムーバブルメディアに複数のファイルシステムを構築し、静止画データをクラスタサイズの小さいファイルシステムに保存し、動画像をクラスタサイズの大きいファイルシステムに保存する技術が提案されている（特許文献１）。この特許文献１は、ＦＡＴというファイルシステムが確保する領域サイズに応じて、そのファイルシステムにおけるクラスタサイズが異なる点を利用したものとなっている。
【０００４】
しかし、ファイルシステムとしてＦＡＴを利用するわけであるから、クラスタサイズを小さくするということは、ファイルシステムで記憶管理できる記憶空間のサイズも小さくすることと等価の関係にある。しかし、昨今のデジタルカメラの撮像する解像度は高くなるばかりであり、静止画と言えども、そのファイルのサイズはこれまで以上に大きなものとなっている。従って、十分な枚数の静止画ファイルを記憶管理するファイルシステムとしてＦＡＴは不十分なものとなってきている。また、動画像の場合、昨今のカメラではＨＤ解像度で動画記録することも可能になってきている。それ故、ＦＡＴファイルシステムの最大記憶領域である４ＧＢｙｅ（１クラスタ＝６４ＫＢｙｔｅとした場合）のメモリ空間を確保したとしても、安心して動画像を記憶することもできない状況になってきている。
【先行技術文献】
【特許文献】
【０００５】
【特許文献１】特開２００５−３５２８９９号公報
【発明の概要】
【発明が解決しようとする課題】
【０００６】
上記の通り、メモリ空間の圧迫から、昨今のデジタルカメラなどでは、ファイルシステムとしてＦＡＴに変えてＦＡＴ３２を採用するようになってきている。しかしながら、ＦＡＴ３２では、最大２ＴＢｙｔｅのメモリ空間を管理できるものの、その中に記録できる１個のファイルの最大サイズが４ＧＢｙｔｅ、という制約がある。１枚の静止画画像データを仮にＲＡＷデータのまま保存したとしても、そのファイルサイズが４ＧＢｙｔｅを超えることは現状では考えにくいので問題がないが、先に説明したように、動画、特にＨＤ解像度の動画の場合には、最大ファイルサイズは十分とは言えない。そして、最近では、ｅｘＦＡＴ（Extended FAT）というファイルシステムが開発されてきているが、現状では未だ普及するまでには至っていないし、なにより、これまでの機器ではそれを利用したり、認識することもできない、という問題がある。
【０００７】
本発明は、かかる課題に鑑みなされたものであり、異なるファイルシステムの記憶領域が混在した記憶媒体を有効利用し、撮像した静止画、動画像を記録する技術を提供しようとするものである。特に、ファイルシステムとして、ｅｘＦＡＴ（拡張ＦＡＴ）とＦＡＴ３２というファイルシステムの場合に、すくなくとも静止画についてはこれまでの撮像装置などの機器でもダイレクトにアクセスできることを保証する。そして、動画像についても所定の処理を経ることでアクセス可能にする技術を提供する。
【課題を解決するための手段】
【０００８】
この課題を解決するため、例えば本発明の撮像装置は以下の構成を備える。すなわち、
着脱自在な記憶媒体に、撮像手段により撮像して得られた画像を記録する撮像装置であって、
前記記憶媒体に確保されている記憶領域のファイルシステムの種類を検出する検出手段と、
該検出手段が、前記記憶媒体に少なくとも２種類のアクセス可能なファイルシステムを検出した場合、仕様上の生成可能なファイルの最大サイズが大きい方のファイルシステムの記憶領域を動画用記憶領域として設定し、他方を静止用記憶領域として設定する設定手段と、
動画像撮影モード、静止画撮影モードのいずれかを選択する選択手段と、
該選択手段で選択した撮影モードが動画像撮影モードの場合には、撮像して得られた動画像データを前記動画用記憶領域に記録し、前記選択手段で選択した撮影モードが静止画撮影モードの場合には、撮像して得られた静止画像データを前記静止画用記憶領域に記録する記録手段とを備える。
【発明の効果】
【０００９】
本発明によれば、異なるファイルシステムの記憶領域が混在した記憶媒体を有効利用し、撮像した静止画、動画像を記録することが可能になる。特に、ｅｘＦＡＴ（拡張ＦＡＴ）とＦＡＴ３２というファイルシステムの記憶領域が混在する記憶媒体の場合、すくなくとも静止画についてはこれまでの撮像装置などの機器でもダイレクトにアクセスすることが保証できる。また、動画像についても所定の処理を経ることでアクセス可能にすることも可能になる。
【図面の簡単な説明】
【００１０】
【図１】実施形態のデジタルカメラのブロック構成図。
【図２】第１の実施形態の処理手順を示すフローチャート。
【図３】ファイルシステムとファイルの格納状況を示す図。
【図４】ＯＳ別のファイルシステムの認識可／不可の関係を示す図。
【図５】第１の実施形態におけるファイル移動の処理手順を示すフローチャート。
【図６】第２の実施形態の処理手順を示すフローチャート。
【図７】第２の実施形態におけるＧＵＩ表示例を示す図。
【発明を実施するための形態】
【００１１】
以下、添付図面に従って本発明に係る実施形態を詳細に説明する。
【００１２】
本実施形態では、被写体を撮像して静止画及び動画を着脱自在な記憶媒体に記録可能なデジタルカメラ等の撮像装置に適用する例を説明する。
【００１３】
第１の実施形態におけるデジタルカメラの内部構成を図１に示し、以下に説明する。実施形態のデジタルカメラ１００は、撮影レンズ１０１、絞り機能を具備するシャッター１０２、ＣＣＤ等により光学像を電気信号に変換する撮像素子１０３、静止画情報の圧縮を行う静止画圧縮回路１０４、動画情報の圧縮を行う動画圧縮回路１０５を有する。また、本装置には、静止画及び動画が一時的に格納する揮発性のメモリ１０６（ＲＡＭ）、操作部１０７（レリーズスイッチ１０７ａ）を有する。更に、本装置は、撮像した画像を確認したり、各種メニューを表示するための表示部１０９、着脱自在なメモリカード１１２、１１３を電気的に接続するためのインタフェース１１０、１１１、及び、装置全体の制御を司るシステム制御部１５０を有する。なお、メモリカード１１２、１１３は、本装置に設けられたコネクタ１１４、１１５に装着すると、メモリカードが接続されたことを示す信号が、システム制御部１５０に通知される。この結果、システム制御部１５０は、メモリカード内部の記憶部１１６、１１７をインタフェース１１０、１１１を介してアクセできるようになる。また、図示では２つのメモリカードを装着できるものとしているが、装着可能なメモリカードの枚数は１枚でも構わないし、３枚以上でも構わない。
【００１４】
また、先に説明したように、本デジタルカメラは、静止画、動画の撮影記録が可能であり、いずれのモードにするかを、操作部１０７より選択する。そして、ユーザによるレリーズスイッチ１０７ａがＯＮになると、シャッター１０２が開き、撮影レンズ１０１を通して得られた光情報を受けた撮像素子が生成する電気信号が静止画圧縮回１０４、動画圧縮回路１０５に供給される。撮影モードが静止画撮影モードの場合、システム制御部１５０により、静止画圧縮回路１０４がアクティブ、動画圧縮回路１０５が非アクティブになっている。従って、静止画撮影モードの場合、静止画圧縮回路１０４は入力した画像をたとえばＪＰＥＧ圧縮し、メモリ１０６に格納する。システム制御部１５０はメモリ１０６に格納された圧縮後の静止画像データを画像ファイルとして、メモリカード１１２、１１３のいずれかに格納する（詳細後述）。また、動画像撮影モードの場合、静止画圧縮回路１０４が非アクティブ、動画圧縮回路１０５がアクティブになっている。従って、レリーズスイッチ１０７ａがＯＮ状態の間、撮影されつつある各フレーム画像は動画圧縮回路１０５で圧縮され、メモリ１０６に格納されていく。メモリ１０６は、数枚のフレームの画像を格納する容量を有する程度であるので、システム制御部１５０はメモリ１０６に格納された圧縮後の動画像データを順次メモリカード１１２、１１３のいずれかに格納する（詳細後述）。そして、レリーズスイッチ１０７ａがＯＦＦになったとき、システム制御部１５０は、メモリ１０６に格納された最後のフレームの圧縮データのメモリカードへの格納が完了するのを待って、メモリカードに格納した動画像データファイルのクローズ処理を行う。
【００１５】
次に、本第１の実施形態における処理を図２のフローチャートを用いて説明する。デジタルカメラ１００は、操作部１０７の電源スイッチ（不図示）により本体の電源がＯＮになると、システム制御部１５０はカメラの処理か処理を行う（Ｓ２０１）。次に、システム制御部１５０は、メモリカード１１２、１１３の接続の有無を判定する（Ｓ２０２）。この時、メモリカードが検出できない場合、デジタルカメラは、撮影した静止画及び動画をメモリカードに記録する動作を行わない。なお、実施形態では、図１に示すようにメモリカードが２枚装着可能であるが、１枚だけ装着しても構わない。Ｓ２０２において、メモリカードの接続を検出すると、システム制御部１５０は、接続されたメモリカード内の記憶領域を検出し（Ｓ２０３）、各記憶領域の容量を検出する（Ｓ２０４）。この時、Ｓ２０５にて、装着しているメモリカードが１枚であり、尚且つ、そのメモリカード内に１つの記憶領域しか存在しないと判断した場合、静止画及び動画をその同一の記憶領域に記録するものと決定する（Ｓ２０８）。なお、動画像、静止画の記録先の記憶領域を特定する情報はシステム制御部１５０内の不揮発性メモリ（不図示）に格納し保持するものする。
【００１６】
逆に、２枚のメモリカードが装着されている、もしくは、１枚のメモリカードに複数の記憶領域が存在し、且つ少なくとも２種類のファイルシステムが存在する場合には、Ｓ２０６へ移行し、各記憶領域のファイルシステムを検出する。
【００１７】
この時、各記憶領域のファイルシステムが全て同じファイルシステムであれば、Ｓ２０８へ移行し、静止画及び動画の記録先を決定する作業を終了する。
【００１８】
その場合、静止画及び動画の記録先は、一番最初にドライブとして割り当てられる領域に記録するものとしても良いし、記憶領域の容量が一番大きい記憶領域を選択しても良いものとする。
【００１９】
一方、図３（ａ）のように、装着されたのがメモリカード１２の１枚であり、その中に２つの記憶領域が存在し、それぞれが異なるファイルシステムであったとする。この場合、Ｓ２０５で、検出されたファイルシステムを比較し、仕様上、格納可能なファイル容量が大きい方のファイルシステムの記憶領域を動画用記憶領域として優先させ、他方、すなわち生成可能なファイル容量が小さい記憶領域を静止画用記憶領域として優先するように決定する（Ｓ２０８）。例えば、図３（ａ）のファイルシステムＡをＦＡＴ３２、ファイルシステムＢをｅｘＦＡＴとして説明する。ファイルシステムＡ（ＦＡＴ３２）で管理されている記憶領域に生成可能なファイルサイズの上限は、仕様上、４ＧＢｙｔｅ(２の３２乗)である。一方、ファイルシステムＢ(ｅｘＦＡＴ)で管理されている記憶領域に生成可能なファイルサイズの上限は、１６ＥＢｙｔｅ(２の６４乗)である。この場合、ファイルサイズが大きくなる傾向のある動画を記録先には、ファイルシステムＢ（ｅｘＦＡＴ）で管理されている記憶領域（３０２）を選択する。すなわち、ｅｘＦＡＴの記憶領域を動画用記憶領域として決定する。そして、現状、ファイルサイズの上限が４ＧＢｙｔｅ以下になる静止画の記録先には、ファイルシステムＡ（ＦＡＴ３２）で管理されている記憶領域（３０１）を選択する。すなわち、ＦＡＴ３２の記憶領域を静止画用記憶領域として決定する。
【００２０】
この時、ｅｘＦＡＴファイルシステムで管理されている記憶領域のファイル容量は、ファイルシステムＡ（ＦＡＴ３２）で生成可能なファイル容量である４ＧＢｙｔｅ以上あることが望ましい。しかし、４ＧＢｙｔｅ以下の場合では、ファイルシステムＡ（ＦＡＴ３２）で管理されている記憶領域に静止画と動画をファイルシステムＡ（ＦＡＴ３２）で記録しても良い。また、記憶領域に容量に関わらず、静止画はファイルシステムＡ（ＦＡＴ３２）で管理されている記憶領域、動画は、ファイルシステムＢ（ｅｘＦＡＴ）で管理されている記憶領域に記録するとしても良いものとする。
【００２１】
以上のファイルシステム検出方法と静止画及び動画を記録する記憶領域の決定手段について説明を行った。
【００２２】
上記のようにすると、静止画はファイルシステムＡで管理されている記憶領域Ａ（３０１）に記録され、一方、動画はファイルシステムＢで管理されている記憶領域Ｂ（３０２）に記録する。この結果、静止画はＦＡＴ３２というファイルシステムに格納されることになり、静止画については既存のデジタルカメラやＰＣなどでも、そのファイルをアクセスできる。また、動画像の場合、実質的にファイルの上限を気にせず、撮影＆記録が行えることになる。
【００２３】
ただし、ＦＡＴ３２は既に広く普及しているファイルシステムであるので、アクセスについては問題がないものの、ｅｘＦＡＴについては既存のデジタルカメラやＰＣでアクセスできるとは限らない。つまり、上記の例で示すと、図４のように、メモリカード内にある記憶領域を管理しているファイルシステムによって、ＰＣから認識できるドライブと、認識できないドライブが混在することが考えられる。図示の場合、ＯＳ（オペレーティングシステム）１であれば、全てのファイルシステムで管理されているドライブを認識することが可能であるが、ＯＳ２であれば、ファイルシステムＢ（３０２）が認識できない。ＯＳ２を使用しているユーザにとっては、撮影した動画をＰＣ上で動画がファイルシステムＢに格納されていることすらも知ることができない。
【００２４】
そこで、本実施形態では、以下のように対処するようにした。先ず、静止画記録を行う記憶領域及び、動画記録を行う記憶領域を決定した後、Ｓ２０９にて、実際に使用する撮影モードを選択する。そして、静止画撮影モードを選択した場合、静止画は上記手段を用いて決定された静止画記録先の記憶領域（３０１）に記録される（Ｓ２１０）。一方、動画撮影モード選択すると、動画データ自体は、決定された動画記録先の記憶領域（３０２）に記録される（Ｓ２１１）。加えて、静止画記録先の記憶領域と動画記録先の記憶領域が異なる領域である場合、動画像が記録されたことを示す補助情報を静止画を記録したファイルシステムに記録する。具体的には、撮影を行った動画の先頭フレームのサムネイル画像を、前記静止画像データの記録を行った記憶領域（３０１）にも記録する（Ｓ２１２）。実施形態でにおけるサムネイル画像のファイル名は、静止画のファイル名と区別でき、且つ、ファイルシステムＢに保存された動画像のファイル名の文字列と、その動画像データファイルのデータサイズを示す数字文字列とを含むものとした。一例を示すなら、静止画のファイル名を「Ｓ−ＩＭＡＧＥ＃＃＃＃＃．ＪＰＧ”（＃＃＃＃は連番の数字が配置される）としたとき、動画像のファイル名は“ＭＯＶＩＥ＃＃＃＃．ＭＰＧ”とする。そして、サムネイルのファイル名を対応する動画像のファイル名の先頭に文字「Ｔ」を付加し、後端にそのサイズを付した“ＴＭＯＶＩＥ＃＃＃＃−＄＄＄＄．ＪＰＧ”という形式にする。例えばサムネイルのファイル名が“ＴＭＯＶＩＥ０００２−５００ＭＢ．ＪＰＧ”であったとき、ｅｘＦＡＴには“ＭＯＶＩＥ０００２．ＭＰＧ”という動画像データファイルが存在し、そのサイズが５００ＭＢｙｔｅであることを示している。
【００２５】
なお、本実施形態では、補助情報記録処理において、撮影を行った動画のサムネイルを記録するとしているが、サムネイルではなく、異なる記憶領域に動画記録を行った旨を通知するフラグを静止画記憶領域（３０１）に立てるとしても良いものとする。そうすることにより、全てのＰＣから、メモリカード内に動画が記録されていることを認識することが可能となる。
【００２６】
次に、メモリカードをＰＣが有するカードリーダに接続した際の、ＰＣの動作を図３（ｂ）と図５のフローチャートを元に説明する。
【００２７】
最初に、上述した手段を用いたカメラで静止画と動画を記録したメモリカードをＰＣに接続する（Ｓ６０１）。ＰＣにメモリカードが接続されると、ＰＣ内のＣＰＵはＯＳの下で、メモリカード内の記憶領域を検出し（Ｓ６０２）、各記憶領域の全体容量及び空き容量を検出する（Ｓ６０３）。
【００２８】
この時、接続されたメモリカードに複数の記憶領域が存在することを検出した場合（Ｓ６０４）、各記憶領域（３０１、３０２）のファイルシステムの種類を検出する（Ｓ６０５）。一方、記憶領域が単一であった場合は、メモリカードに対して通常アクセスを行う（Ｓ６１３）。
【００２９】
次に、Ｓ６０５にて検出したファイルシステムの内、サポートしていないファイルシステム（アクセスできないファイルシステム）があるかどうかを検出する（Ｓ６０６）。次に、サポートしているファイルシステムで管理されている記憶領域Ａ（３０１）に静止画群（５０１）以外に動画のサムネイル(５０２、５０３)が存在するかどうかを検出する（Ｓ６０７）。この時、Ｓ６０６にてサポート外のファイルシステムで管理されている記憶領域Ｂ（５０７）が存在し、且つ、Ｓ６０６にてサポート内のファイルシステムで管理されている記憶領域Ａ（５０６）に動画のサムネイル（５０２、５０３）が存在した場合、ＣＰＵは、前記記憶領域Ｂ（５０７）に動画５０４、５０５が記録されていると判断できる（Ｓ６０８）。
【００３０】
この時、ユーザはＰＣ上にインストールされている所定のＰＣ用アプリケーションを実行する。このアプリケーションは、本発明の構成の一部を成すものであり、実行するとＣＰＵは、接続されたメモリカードにファイルシステムＡ（ＦＡＴ３２）のファイルシステムと、不明なファイルシステム（ｅｘＦＡＴ）が存在し、且つ、ファイルシステムＡに動画のサムネイルファイル（ファイル名が“ＴＭＯＶＩＥ＃＃＃＃−＄＄＄＄．ＪＰＧ”）が存在するかどうかを判断する。そして、ＣＰＵは、どのサムネイルの動画像をファイルシステムＡへの変換（移動）を行わせるかをユーザに選択させるため、そのサムネイルファイルの画像一覧を表示する。
【００３１】
次いで、ユーザが選択した動画サムネイルのファイル名に基づき、ファイルシステムＡに、動画サムネイルで示される動画像データが移動できるだけの空き領域が否かを判断する。これは選択したサムネイルのファイル名から、動画像のサイズが判明するので、選択した動画像の総サイズとファイルシステムＡの空き容量とを比較すれば良い。もし、移動できるだけの空き領域がファイルシステムＡにない場合、ＰＣの画面に、『ファイルシステム変換フラグを書き込んだので、メモリカードをデジタルカメラにセットして下さい』などのメッセージを表示する。そして、ファイルシステムに空き領域が確保されるのを待つ。
【００３２】
こうして、ファイルシステムＡに空き領域が確保されていることをが判明すると、ユーザが選択した動画サムネイルに、ファイル移動のフラグを設定する。設定する箇所は、動画サムネイルのデータファイル中の予め予約された空き領域に書き込んでも良いが、実施形態では動画像サムネイルのファイル名の先頭や末尾などの予め設定された位置に、そのフラグとして機能する文字列を追加するものとした。例えば、サムネイルのファイル名の部分の後端に文字「Ｃ」を付加して、“ＴＭＯＶＩＥ＃＃＃＃−＄＄＄＄Ｃ．ＪＰＧ”）とするなどで良いであろう。かかるファイル名の変更までがＰＣにインストールされたアプリケーションプログラムの機能でもある。
【００３３】
以上がＰＣ側の処理である。この後、ユーザはＰＣからそのメモリカードを取り出し（Ｓ６１４）、それをデジタルカメラにセットする（Ｓ６１５）。この結果、デジタルカメラのシステム制御部１５０は、ファイルシステムＡで管理されている記憶領域Ａ（５０６）内に、フラグがセットされている動画サムネイル（５０２、５０３）があるか否かを判定する（Ｓ６１６）。上記の例では、ファイル名が“ＴＭＯＶＩＥ＃＃＃＃−＄＄＄＄Ｃ．ＪＰＧ”となっているサムネイルが存在するか否かを判断する。もし、そのようなファイル名の動画サムネイルが存在する場合には、ファイルシステムＢ（３０２）内の該当する動画像データファイル（５０２、５０４）を、ファイルシステムＡ（３０１）に移動処理する（Ｓ６１７）。このとき、ファイルシステムＡ（３０１）に存在していた動画サムネイル５０２、５０３は消去する。また、移動しようとする動画像ファイルのデータサイズが、ＦＡＴ３２の上限サイズである４Ｇｂｙｔｅを超えている場合、そのままでは移動できないので、それぞれが上限サイズ以下となる複数のファイルに分割して移動させる。
【００３４】
なお、本実施形態では、ＰＣにて動画サムネイルを選択する形をとっている。しかし、ＯＳ２が搭載されているＰＣがアクセス可能な記憶領域Ａ（５０６）に、アクセス不可能な記憶領域Ｂ（５０７）の情報を全て変換させるようにするのであれば、動画サムネイルを選択する必要はない。すなわち、単にファイルシステムＡに対して、フラグを立てたり、変換を行う旨の予め決まったメッセージを格納したファイルを格納しても実現可能である。
【００３５】
以上の結果、ＦＡＴ３２、ｅｘＦＡＴの２種類のファイルシステムを有する記憶媒体が、ＰＣにセットされた場合、そのＰＣが仮にｅｘＦＡＴ３２のファイルシステムを認識できなくても、動画像がｅｘＦＡＴに存在することを知ることができる。また、実施形態における、フラグセットのアプリケーションを起動することで、認識可能なファイルシステムへの移動も行えることになり、動画像を観賞することができる。
【００３６】
［第２の実施形態］
第２の実施形態では、メモリカードの初期化処理について説明する。なお、本第２の実施形態におけるデジタルカメラの構成は図１と同じであるものとしてその説明は省略する。また、本実施形態におけるデジタルカメラは、認識できるファイルシステムとしてＦＡＴ３２とｅｘＦＡＴの２種類であるものとして説明する。
【００３７】
本装置に未初期化のメモリカードを本装置に装着した場合、或いは、操作部１０７から初期化指示が入力された場合の処理を、図６のフローチャートに従って説明する。
【００３８】
先ず、システム制御部１５０は、メモリカードが装着されていると判定すると（Ｓ７０１）、そのメモリカードの総容量を検出する（Ｓ７０２）。次に、システム制御部１５０は、認識できる各ファイルシステムで生成可能なファイルの最大サイズの内、最小ファイルサイズと、Ｓ７０２で検出したメモリカードの総容量との比較を行う（Ｓ７０３）。生成可能なファイルの最大サイズは、ＦＡＴ３２では４ＧＢｙｔｅ、ｅｘＦＡＴでは６ＥＢｙｔｅであるので、４ＧＢと装着したメモリカードの総容量とを比較することになる。もし、比較結果が、メモリカードの総容量がＦＡＴ３２で生成可能な最大のファイルサイズ以下を示している場合、システム制御部１５０は、認識できる各ファイルシステムで生成可能な最大ファイルサイズの内で一番小さいサイズとなるファイルシステム、すなわち、ＦＡＴＦＡＴ３２で、そのメモリカードの全領域をフォーマットする（Ｓ７０４）。そして、静止画、動画とも、その共通なファイルシステムに記録するように設定する（Ｓ７０５）。
【００３９】
一方、メモリカードの総容量が、認識できる各ファイルシステムで生成可能なファイルの最大サイズの内、一番小さいサイズ（４ＧＢ）を超えると判断した場合、処理はＳ７０６に進む。このＳ７０６では、ＣＰＵは装着したメモリカードに対して２つの記憶領域を確保（パーティション処理）すべく、動画データを格納する領域にどの程度の領域を確保するのかを問い合わせるＧＵＩを表示部１０９に表示する。例えば、装着したメモリカードの総容量が１６ＧＢであった場合のＧＵＩは図７（ａ）に示すようなものである。ユーザは、操作部１０７の左右キー（不図示）を操作することで、動画像と静止画像それぞれの記憶領域のサイズの境目の位置を変更する。図示の場合には、動画像の記録用に１０ＧＢを設定した状態（静止画の記録用に６ＧＢを設定した状態）を示している。ユーザが操作部１０７の確定キー（不図示）を操作すると（Ｓ７０７）、その時点での境目で示された容量で動画像、静止画像の記憶領域を決定する（Ｓ７０８）。そして、動画像を記憶する領域については、生成可能なファイルサイズの大きいｅｘＦＡＴファイルシステムでフォーマットし、静止画を記憶する領域についてはＦＡＴ３２でフォーマットする（Ｓ７０９）。そして、ｅｘＦＡＴファイルシステムの領域に動画を記録するように設定し、ＦＡＴ３２の領域に静止画を記録するように設定する（Ｓ２０８）。この後の、処理は、先の第１の実施形態と同様である。すなわち、ＰＣなどの他の装置で認識できない可能性のあるｅｘＦＡＴファイルシステムに対して動画記録を行った場合には、対応するサムネイルをＦＡＴ３２に記録する。
【００４０】
以上の手法と取ることにより、購入したメモリカードを装着したとき、或いは、ユーザによる初期化指示を与えたとき、動画記録に適したファイル容量以上のメモリカードであった場合のみ、動画記録に適したファイルシステムを選択可能になる。これにより、ユーザにとっては、より簡単な操作で、動画記録時のファイルサイズの上限を意識することなくカメラを使用することが可能となるという効果が考えられる。
【００４１】
また、第２の実施形態の派生として、デジタルカメラが複数のメモリカードスロットを所持している場合であって、各スロットに記録媒体が接続された時に、カメラの表示部に図７（ｂ）に示すような表示を行うようにしても良い。この場合、各記録媒体毎に管理するファイルシステムを変更することも可能である。すなわち、動画記録先として指定されたメモリカードについては、ｅｘＦＡＴファイルシステムで初期化する（それ以外は静止画用記憶領域としてＦＡＴ３２ファイルシステムで初期化する）。
【００４２】
なお、実施形態では、リムーバブル記憶媒体として半導体メモリカードを想定して説明したが、ハードディスク装置などのスピンドル系記憶装置にも適用しても構わない。そして、例えば、ＣＦカードには、ＦＡＴ３２ファイルシステムＡを用いて静止画データを記録し、ＵＳＢハードディスクにはｅｘＦＡＴファイルシステムを用いて動画像データの記録を行う、ということもできる。
【００４３】
以上の結果、カメラ表示部に動画記録を行う記録媒体を明確に表示させることで、ユーザにとっては、視覚的に分かり易い操作で、動画記録時のファイルサイズの上限を意識することなくカメラを使用することが可能となる。
【００４４】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011034236.tif 000003
【図２】
2011034236.tif 000004
【図３】
2011034236.tif 000005
【図４】
2011034236.tif 000006
【図５】
2011034236.tif 000007
【図６】
2011034236.tif 000008
【図７】
2011034236.tif 000009